(57)【要約】【課題】メカニカルな調整機構を伴わずに、安定した信号検出を行う光検出器を搭載した光ピックアップおよび光情報処理装置を提供する。【解決手段】光検出器の受光素子部４１は、載置用リードフレーム３２また端子導出用リード３３と金等のワイヤーで電気的に接続される。この光検出器を光ピックアップに搭載し、液体レンズ部１１の小滴１３がキャップ部材１２面上の位置と焦点距離を機械的な制御することなく変位でき、十分な光量が得られ、調整用治具なども必要としない。また受光素子部４１を載置用リードフレーム３２上に設けて、受光素子部４１の熱を、載置用リードフレーム３２を通して効率よく放熱して感度低下を抑制できる。また載置用リードフレーム３２、端子導出用リード３３の上表面が同一平面で同一方向に延設することから、ワイヤーボンディング等の加工が容易になり、配設部材の幅を小さくでき、さらに搭載する装置を小型化することができる。【選択図】図１
2006277877.tif 000002
【特許請求の範囲】
【請求項１】
光源と、前記光源からの光束を光記録媒体に集光するための対物レンズと、前記対物レンズに入射しない前記光束の一部を検出する光検出器とを有する光ピックアップであって、
前記光検出器が、凹部を有する配設部材と、前記凹部内の底面に配設した受光素子と、前記凹部を塞ぐキャップ部材と、前記キャップ部材の前記受光素子を配設した面と反対側の面に、複数の電極と絶縁層および導電性液体の小滴を順に積層した液体レンズ部とを備えたことを特徴とする光ピックアップ。
【請求項２】
光源と、前記光源からの光束を光記録媒体に集光するための対物レンズと、前記光記録媒体からの反射光を受光する光検出器とを有する光ピックアップであって、
前記光検出器が、凹部を有する配設部材と、前記凹部内の底面に配設した受光素子と、前記凹部を塞ぐキャップ部材と、前記キャップ部材の前記受光素子を配設した面と反対側の面に、複数の電極と絶縁層および導電性液体の小滴を順に積層した液体レンズ部とを備えたことを特徴とする光ピックアップ。
【請求項３】
前記光源が、使用波長の異なる複数の光源を１つの筐体に収めた光源ユニットからなり、前記光源ユニットの使用光源に基づいて、液体レンズ部の焦点距離または光軸に直交する面内での位置を切換え、使用波長の異なる複数の光記録媒体に記録および／または再生を行うことを特徴とする請求項１または２記載の光ピックアップ。
【請求項４】
前記小滴が、屈折率の異なる絶縁性液体と混合することなく、かつ前記絶縁性液体が前記小滴を覆うように配置されてなることを特徴とする請求項１〜３のいずれか１項に記載の光ピックアップ。
【請求項５】
前記小滴が、紫外線硬化型もしくは熱硬化型の導電性液体であることを特徴とする請求項１〜３のいずれか１項に記載の光ピックアップ。
【請求項６】
前記導電性液体が、光検出器の組付工程における調整後に硬化されることを特徴とする請求項５記載の光ピックアップ。
【請求項７】
光記録媒体に情報の記録および／または再生を行う光情報処理装置であって、
前記光情報処理装置が、請求項１〜６のいずれか１項に記載の光ピックアップを搭載してなることを特徴とする光情報処理装置。
【発明の詳細な説明】
【技術分野】
【０００１】
本発明は、メカニカルな調整機構を伴わずに、安定な信号検出が可能な光検出器を搭載した光ピックアップおよび光情報処理装置に関するものである。
【背景技術】
【０００２】
従来の光ピックアップでは、各種情報を安定して検出し、または安定した記録動作を行うためには、光源から出射される光束の光量が安定していることが重要である。このため、従来から光源の発する光束の光量を光検出器で確認し、その受光量に応じて光源の光量を制御するようにしている。この場合の確認（モニタ）方式としては、光源のレーザチップ内にその後方に向けて発せられる後方光束を受光する光検出器を一体に内蔵させて設けたものもあるが、光源の構造が制約され、実際に用いる前方光束との対応が必ずしも正確でない等の理由から、光源から前方に向けて出射される光束の一部を受光する光検出器を設けるのが一般的である。
【０００３】
そして、できるだけ多くの受光量を確保することにより、モニタ信号の安定化を図る、あるいは小さな光検出器でも十分な受光量を確保して光検出器における信号読み取りの高速化を狙って、例えば、特許文献１、非特許文献１にはレンズ付き光検出器が掲載されている。
【特許文献１】特開２００１−３４４７９６号公報
【特許文献２】特開２００３−５０３０３号公報
【非特許文献１】梁川直治、外５名、「ＤＶＤ−Ｒピックアップの開発」、ＰＩＯＮＥＥＲ  Ｒ＆Ｄ、1996，Vol.7，No.1，p.26-35
【発明の開示】
【発明が解決しようとする課題】
【０００４】
しかしながら、このような構成のレンズ付き光検出器では、その設置位置により光量バラツキが問題となり、光検出器の調整が必要となる場合がある。また、調整を行うためには、光検出器の調整用に用いる部位（ホルダやセル）が必要となり、結果、光ピックアップの大型化を招き、また微細かつ高精度に動かすための大掛かりな調整用治具が必要とされる。
【０００５】
本発明は、前記従来技術の問題を解決することに指向するものであり、メカニカルな調整機構を伴わずに、安定した信号検出を行うことができる光検出器を搭載した光ピックアップおよび光情報処理装置を提供することを目的とする。
【課題を解決するための手段】
【０００６】
前記の目的を達成するために、本発明に係る請求項１に記載した光ピックアップは、光源と、光源からの光束を光記録媒体に集光するための対物レンズと、対物レンズに入射しない光束の一部を検出する光検出器とを有する光ピックアップであって、光検出器が、凹部を有する配設部材と、凹部内の底面に配設した受光素子と、凹部を塞ぐキャップ部材と、キャップ部材の受光素子を配設した面と反対側の面に、複数の電極と絶縁層および導電性液体の小滴を順に積層した液体レンズ部とを備えたことにより、メカニカルな調整機構を伴わずに、安定した最大受光量、各受光素子でバランスのとれた受光量を確保でき、光ピックアップの小型化，薄型化できる。
【０００７】
また、請求項２に記載した光ピックアップは、光源と、光源からの光束を光記録媒体に集光するための対物レンズと、光記録媒体からの反射光を受光する光検出器とを有する光ピックアップであって、光検出器が、凹部を有する配設部材と、凹部内の底面に配設した受光素子と、凹部を塞ぐキャップ部材と、キャップ部材の受光素子を配設した面と反対側の面に、複数の電極と絶縁層および導電性液体の小滴を順に積層した液体レンズ部とを備えたことにより、メカニカルな調整機構を伴わずに、安定した最大受光量、各受光素子でバランスのとれた受光量を確保でき、光ピックアップを小型化，薄型化できる。
【０００８】
また、請求項３に記載した光ピックアップは、請求項１，２の光ピックアップであって、光源が、使用波長の異なる複数の光源を１つの筐体に収めた光源ユニットからなり、光源ユニットの使用光源に基づいて、液体レンズ部の焦点距離または光軸に直交する面内での位置を切換え、使用波長の異なる複数の光記録媒体に記録および／または再生を行うことにより、使用波長の異なる複数の光源を収めた光源ユニットにより、複数の媒体に対応でき、さらに光ピックアップの小型化，部品点数削減ができる。
【０００９】
また、請求項４〜６に記載した光ピックアップは、請求項１〜３の光ピックアップであって、小滴が、屈折率の異なる絶縁性液体と混合することなく、かつ絶縁性液体が小滴を覆うように配置されてなること、また小滴が、紫外線硬化型もしくは熱硬化型の導電性液体であること、さらに導電性液体が、光検出器の組付工程における調整後に硬化されることにより、小滴を絶縁性液体で覆うことにより外乱などの変動に強く、さらには紫外線硬化型、熱硬化型等の材料を用いることで組付工程の最適位置を求めた後に固定することができ、さらに組付工程においてはメカニカルな治具機構や光検出器調整用の部材（ホルダやセル）を設ける必要がなく、光ピックアップの小型化ができる。
【００１０】
また、請求項７に記載した光情報処理装置は、光記録媒体に情報の記録および／または再生を行う光情報処理装置であって、光情報処理装置が、請求項１〜６のいずれか１項に記載の光ピックアップを搭載してなることにより、小型に構成された光ピックアップを搭載して、例えばＰＣ等の内蔵ドライブの半分の厚さ（ハーフハイト）のドライブベイやノートＰＣ用途への搭載が困難であったものが可能となる。
【発明の効果】
【００１１】
本発明によれば、メカニカルな調整機構を伴わずに、安定した信号検出が可能な光検出器を備えた光ピックアップと、この光ピックアップの組付方法を提供でき、これにより光ピックアップおよび光情報処理装置の小型化，薄型化ができ、さらに組付設備の簡素化を図ることができるという効果を奏する。
【発明を実施するための最良の形態】
【００１２】
以下、図面を参照して本発明における実施の形態を詳細に説明する。
【００１３】
図１は本発明の実施の形態１における光検出器の概略構成を示す（ａ）は斜視図、（ｂ）は上面図である。本実施の形態１における光検出器の構成について図１（ａ），（ｂ）を参照しながら説明する。
【００１４】
図１（ａ）に示すように、受光ユニットの載置用リードフレーム３２および端子導出用リード３３と、これらを共通の黒色樹脂からなる絶縁性の樹脂モールド体３１によって一体化してなる配設部材を有する。ここで、載置用リードフレーム３２が左右に張り出し部を有するのは、放熱および配設部材の剛性を高めるためである。樹脂モールド体３１は、載置用リードフレーム３２および端子導出用リード３３を保持するとともに、内部において載置用リードフレーム３２および端子導出用リード３３の表面が露出するように凹部３４が設けられている。すなわち、樹脂モールド体３１は周囲に枠体を形成することにより受光素子を収納する容器を構成する。ここで、載置用リードフレーム３２および端子導出用リード３３は一方向に設けてあるため、この容器の幅を小さくできる。
【００１５】
また、キャップ部材１２は、樹脂モールド体３１の凹部３４上に３次元的に集光位置が可変する液体レンズ部１１を支持し、使用波長において透明性を有する樹脂あるいはガラスからなる。キャップ部材というように、配設部材の凹部３４の蓋の役目もする。受光素子部４１とともに封印される凹部３４は、受光素子部４１などの素子劣化を防ぐために窒素ガスを充填したりする。
【００１６】
受光素子部４１は、樹脂モールド体３１を各リードに沿って切断した図１（ｂ）に示すように、対応する載置用リードフレーム３２または端子導出用リード３３と金等のワイヤーにより電気的に接続されている。例えば、受光素子はモニタ用光検出器の場合は１セグメントでよく、光記録媒体からの情報信号を検出するようなものの場合には、図１（ｂ）に示す如く、例えば４セグメントの受光素子４１ａ〜４１ｄからなる。この場合の光検出器の組付方法としては、信号検出用の受光素子４１ａ〜４１ｄの受光信号を観測しながら、各受光素子４１ａ〜４１ｄの出力バランスが均等となるように調整する。
【００１７】
なお、本実施の形態１において説明したように、光検出器を光ピックアップに搭載することにより、液体レンズ部１１の小滴１３がキャップ部材１２面上で移動できるとともに、焦点距離を機械的な制御を行わずに可変できるため、調整用治具などを用いる必要がない。
【００１８】
さらに、受光素子部４１が載置用リードフレーム３２上に設けられるので、受光素子部４１の熱が載置用リードフレーム３２を通して効率よく放熱され、受光素子部４１の感度低下を抑制できる。しかも、載置用リードフレーム３２、端子導出用リード３３の上表面が同一平面にあるので、ワイヤーボンディング等の加工が容易に行える。さらに、載置用リードフレーム３２および端子導出用リード３３は同一方向に延設するので、配設部材の幅を小さくすることができる。
【００１９】
ここで、本発明の実施の形態１においては、電気毛管現象を利用した液体レンズ部を光検出器のキャップ部材上に設けて構成している。この電気毛管現象とは、導電性液体の小滴と電極との間に電圧を印加すると、小滴の接触角が変化する現象をいい、この電気毛管現象を用いて、焦点距離、レンズ位置を移動することを可能としたものである。これは特許文献２に記載された公知技術の原理構成に基づき、それを応用したものである。よって、その概略について、図２（ａ），（ｂ）を用いて説明する。
【００２０】
図２（ａ）は液体レンズを説明する図である。液体レンズは、数ミクロンから数ミリメートルの直径を有する水のような透明液体の小滴１からなる。小滴１は、透明な基板２の上に配置されてなる。基板２は一般的に撥水性のものか、撥水性のコーティングがなされている。小滴１と基板２は、使用範囲の波長の光束に対して透明であり、光路は参照光線３によって示されている。液体レンズを透過した光束は、小滴１と基板２の間の接触面から焦点距離ｆの焦点４の位置に集光する。
【００２１】
そして、図２（ｂ）は、透明な絶縁層６と小滴１の間の角度と、電気毛管現象を説明する図である。透明な電極７は、絶縁層６を介して小滴１から絶縁されている。小滴１は、例えば水滴のようなものであればよい。また工程において、液体レンズの状態を固定してしまいたい場合は、ＵＶ（紫外線）や熱により硬化できる小滴材料を選択すればよい。電極７と小滴１の間に電圧Ｖを印加すると、電気毛管現象に従って、導電性の小滴１の接触領域が広がり、このことによって、小滴１は破線のように変形する。当技術を用いると、電気エネルギーを直接レンズの形状変化に用いることができるため、レンズを機械的に移動させることなく焦点調節が可能となることが知られている。また、特許文献３においては電極７以外に、小滴１を光軸直交面内に移動させる電極を配置する旨が記載されている。この部分については、本実施の形態１における光検出器をより詳細に記載した以下の各図を参照しながら説明する。
【００２２】
図３（ａ）は本実施の形態１における光検出器の断面図、（ｂ）は電極の分割パターンを示す図である。図３（ａ）に示すように、液体レンズ部１１がキャップ部材１２上に形成された構造となっている。キャップ部材１２は、ガラスあるいはプラスチックで形成したものである。液体レンズ部１１は、レンズ形状を形成した透明な液体である導電性液体の小滴１３と、透明な基板１６と、その両面に形成した透明な電極１５ａ，１５ｂ，１７、さらに電極１５ａ，１５ｂの小滴１３側には光学透明性を有する薄膜の絶縁層１４を形成してなる。絶縁層１４と小滴１３の間には撥水コーティング（図示せず）がされている。電極１５ａ，１５ｂ，１７は制御回路（図示せず）と接続できるようパターン配線されている。
【００２３】
また、図３（ｂ）に示すように、基板１６の両面に形成する各電極は、電極１７が光学有効径内においてベタ電極であるのに対し、電極１５ａ〜１５ｄは円を４分割したパターンとなっている。ベタ電極１７に電圧（Ｖ０）を印加する方法としては、グランドあるいは等電圧を印加する方法であればよい。そして、電極１５ａ〜１５ｄへの入力電圧（Ｖ１〜Ｖ４）のコントロールにより、小滴１３の形状、具体的には曲率半径のコントロールにより焦点距離、光軸直交面内のＸＹ方向の位置を変化させる。そして、受光素子配設面上への受光量、あるいは受光量のバランスを最適な状態に確保できる。
【００２４】
次に、本実施の形態１における液体レンズ部の焦点距離の切換え調整について、図４（ａ），（ｂ）を参照しながら説明する。
【００２５】
いま、電極１５ａ〜１５ｄ，１７の各電極間が等電位の場合、小滴１３は光軸略中央位置にある。この初期状態を図４（ａ）では状態Ａ（実線）としている。これに対し、電極１５ａ〜１５ｄが等電位で、電極１７との電位がずれた場合は、状態Ｂ（破線）のように小滴１３は広がり、小滴１３と絶縁層１４の間の角度θが小さくなっている（θ１＞θ２）。図４（ｂ）は状態Ａ，Ｂを電極上面から見た様子を示す。
【００２６】
角度θの変化は、液体レンズ部１１の小滴１３の曲率半径を変化させ、液体レンズ部１１の焦点距離を変化させる。液体レンズ部１１の曲率半径変化は、焦点距離変化をもたらす。
【００２７】
次に、本実施の形態１における液体レンズの集光位置の調整について、図５（ａ），（ｂ）を参照しながら説明する。
【００２８】
図５（ａ）は、電極１５ａ〜１５ｄを選択的にコントロールすることにより、小滴１３がＸＹ方向に位置変位できることを説明する図である。電圧（Ｖ４）を外に比べ大きくした場合は図５（ａ）の破線に示すような方向に小滴１３は移動する。電極を上面から見た図５（ｂ）に示すように、小滴１３は電極１５ｄ方向に移動する。これにより液体レンズ部１１の小滴１３のＸＹ方向移動は、受光素子配設面上の集光スポットの位置を移動させる。
【００２９】
なお、本実施の形態１を示す図３（ｂ）には、４つの電極を設けた構成を示しているが、希望のレンズ駆動に応じた電極数、電極パターン、その組合せを決めればよく、例えば半径方向のみの精度を要求するのであればＸ方向の２分割の電極パターンを用いればよい。
【００３０】
また、本実施の形態１のように、液体レンズの構成としては１液に限定されるものではなく、図６に示すように導電性液体である小滴１３の周辺に絶縁性液体１９を、絶縁層１４，保持部材１８，ガラス基板２０で囲むユニット内に充填した構成であってもよい。絶縁性液体１９と導電性の小滴１３は共に透明であり、互いに混合することなく、異なった屈折率をもち、ほぼ等しい密度の値をもっていればよい。または、図７に示すように導電性液体である小滴１３の周辺を、絶縁性液体１９により薄膜状に覆うような構成であってもよい。
【００３１】
図８は本発明の実施の形態２の実施例1における光ピックアップの概略構成を示す図である。図８に示すように光ピックアップの要部は、半導体レーザ１０１、コリメートレンズ１０２、偏光ビームスプリッタ１０３、１／４波長板１０４、対物レンズユニット１０６、検出レンズ１０８、光束分割素子１０９、光検出器１１０より構成されている。ここで、対物レンズユニット１０６は情報記録面にフォーカシングを行うために光軸方向、トラッキングを行うために光記録媒体半径方向に可動できるようになっている。光記録媒体１０７は、図示しない回転機構にセットされて高速回転される。
【００３２】
半導体レーザ１０１から出射した直線偏光の発散光は、コリメートレンズ１０２で略平行光とされ、偏光ビームスプリッタ１０３を透過し、１／４波長板１０４を通過し円偏光とされ、対物レンズユニット１０６に入射し、光記録媒体１０７上に微小スポットとして集光される。このスポットにより、情報の再生、記録あるいは消去が行われる。光記録媒体１０７から反射した光束は、往路とは反対回りの円偏光となり、再び略平行光とされ、１／４波長板１０４を通過して往路と直交した直線偏光になり、偏光ビームスプリッタ１０３で反射され、検出レンズ１０８で収束光とされ、光束分割素子１０９により複数の光束に分割され、各光束は複数の受光セグメントを有する光検出器１１０に至る。光検出器１１０からは、情報信号，サーボ信号が検出される。
【００３３】
この種の光ピックアップでは、各種情報を安定して検出し、または、安定した記録動作を行うためには、半導体レーザ１０１から出射される光束の光量が安定していることが重要である。このため、従来から光源の発する光束の光量を光検出器で確認し、その受光量に応じて光源（半導体レーザ１０１）の光量を制御するようにしていることは前述のとおりである。
【００３４】
そして、本実施の形態２の実施例１では、半導体レーザ１０１から前方に向けて出射された光束の一部を受光するモニタ用光検出器１１１が偏光ビームスプリッタ１０３を介して光検出器１１０に対峙する位置に配設されている。すなわち、モニタ用光検出器１１１は半導体レーザ１０１から出射されて偏光ビームスプリッタ１０３を反射した光束を受光することになる。そして、モニタ用光検出器１１１には前述した実施の形態１のような液体レンズ部１１がキャップ部材１２上に形成されてなる。
【００３５】
液体レンズ部１１を用いたモニタ用光検出器１１１によれば、液体レンズ部１１の小滴１３における曲率半径の変化により集光状態を変化させて、また光軸直交面内位置の変化により集光位置そのものを変更できるため、受光量最大となる状態に容易に変位させることができる。これは組付工程に行われるものでもよく、光情報処理装置に搭載した実使用状態において、最適状態を検出して液体レンズ部１１の小滴１３位置をフィードバック制御するものでもよい。また液体レンズ部１１の小滴１３として、紫外線硬化型、熱硬化型の材料を用いれば、組付工程において最適位置にて固定させることも可能である。これらの硬化型材料としては、よく知られているポリイミドやアゾベンゼンなどの導電性を有するものを選択すればよい。
【００３６】
また、本実施の形態２の実施例１におけるモニタ用光検出器の配置位置としては、図８に示す構成に限られるものではない。図９に示す本実施の形態２の実施例２のように、半導体レーザ１０１から前方に向けて出射した光束の一部を直接受光するモニタ用光検出器１１１を設けてもよい。この場合、半導体レーザ１０１から出射される発散光状態の光束Ｐの内、光記録媒体側に照射すべき本来の光束を阻害しないように、その有効光束ＰＥの有効径の外側部分の位置に挿入される。
【００３７】
このような構成とすることにより、図８に示すような半導体レーザ１０１から出射された光束の一部を、モニタ用光検出器１１１側にも向かうように偏光ビームスプリッタ１０３にて分配させる必要がなく、対物レンズユニット１０６側へ向かう本来の光束における光量が減少してしまうという不都合が解消できる。
【００３８】
一方、図９に示すような構成においては、モニタ用光検出器１１１が光軸中心の光束を取得するわけではないので、位置ずれなどの変動に影響されやすいが、本実施例２においては光検出器上の液体レンズ部１１の小滴１３が移動可能なため、受光量の最大値を容易に確保することができる。 
【００３９】
図１０は本発明の実施の形態３における光ピックアップの概略構成を示す図である。前述した図８における光ピックアップにおいて、光記録媒体１０７からの反射光を検出する光検出器１１０に代えて、液体レンズ部１１を具備したモニタ用光検出器１１１を用いてもよい。図１０に示す光ピックアップにおいては、さらに効果的な液体レンズ付光検出器の使用例を示す。本実施の形態３は、Ｂlu-ray Ｄisc，ＤＶＤ，ＣＤの各光記録媒体といった、これまでの光ディスク規格のすべてに対応する光ピックアップである。
【００４０】
また、本実施の形態３における光ピックアップの要部として、図１１に示すように波長４０５ｎｍの青色レーザチップ１２１ｂ、波長６６０ｎｍの赤色レーザチップ１２１ａ、波長７８５ｎｍの赤外レーザチップ１２１ｃの３つの半導体レーザチップが、１つのキャン（容器）の中に集積搭載した３波長レーザユニット１２１を用いている。３波長レーザユニット１２１は、青色レーザチップ１２１ｂがコリメートレンズ１０２の光軸上に配置されるように設置されてなり、赤色，赤外の各レーザチップ１２１ａ，１２１ｃはコリメートレンズ１０２の光軸から数１０μｍ〜数１００μｍずれた位置となる。青色を中央の位置に配置とするのは、短波長ほど光学系の収差感度が高くなるためである。
【００４１】
まず、「使用波長４０５ｎｍ、ＮＡ０.８５、光照射側基板厚０.１ｍｍの青色系光記録媒体」の光記録媒体（ＢＤ）１０７ａに記録または再生する場合について説明する。波長４０５ｎｍの青色レーザチップ１２１ｂから出射した直線偏光の発散光は、コリメートレンズ１０２で略平行光とされ、偏光ビームスプリッタ１０３を透過し、１／４波長板１０４を通過し円偏光とされ、対物レンズユニット１０６に入射し、光記録媒体（ＢＤ）１０７ａ上に微小スポットとして集光される。このスポットにより、情報の再生、記録あるいは消去が行われる。光記録媒体（ＢＤ）１０７ａから反射した光束は、往路とは反対回りの円偏光となり、再び略平行光とされ、１／４波長板１０４を通過して往路と直交した直線偏光になり、偏光ビームスプリッタ１０３で反射され、検出レンズ１０８で収束光とされ、光束分割素子１０９により複数の光束に分割され、各光束は複数の受光セグメントを有する光検出器１１２に至る。光検出器１１２からは、情報信号，サーボ信号が検出される。
【００４２】
次に「使用波長６６０ｎｍ、ＮＡ０.６５、光照射側基板厚０.６ｍｍのＤＶＤ系光記録媒体」の光記録媒体（ＤＶＤ）１０７ｂを記録または再生する場合については、波長６６０ｎｍの赤色レーザチップ１２１ａを点灯させ、青色レーザチップ１２１ｂと同様の光路をたどる。
【００４３】
さらに「使用波長７８５ｎｍ、ＮＡ０.５０、光照射側基板厚１．２ｍｍのＣＤ系光記録媒体」の光記録媒体（ＣＤ）１０７ｃを記録または再生する場合については、波長７８５ｎｍの赤外レーザチップ１２１ｃを点灯させ、青色，ＤＶＤレーザチップ１２１ｂ，１２１ａと同様の光路をたどる。
【００４４】
ここで、前述の３つの光源が１つのパッケージに集約された光源ユニット１２１は、光学系の大幅な小型化を可能とするが、他の部品についてもそれなりの工夫を必要とする。例えば、各光源の光軸直交面内における発光点位置のずれは光検出器上におけるずれも発生させる。しかしながら、本実施の形態３においては、光検出器１１２として焦点距離と集光点位置を変位できる液体レンズ部を、光検出器のキャップ部材上に形成しているため、図１２のような赤色，青色，赤外受光素子４３，４４，４５を形成した受光素子部４２を有する光検出器を具備し、使用光源あるいは媒体判別信号に応じて使用する受光素子を選択し切り換えて用いるようにすればよい。
【００４５】
図１３は本発明の実施の形態４における光情報処理装置の概略構成を示すブロック図である。前述した各実施の形態における光記録媒体に対して、情報信号の記録および／または再生を行う装置であり、前述した光ピックアップに相当する光ピックアップ５１を備えて構成されている。そして光記録媒体１０７を回転操作するスピンドルモータ５８と、情報信号の記録，再生を行うに当たって使用する光ピックアップ５１を光記録媒体１０７の内外周に移動操作するための送りモータ５２と、所定の変調および復調処理を行う変復調回路５４と、光ピックアップ５１のサーボ制御などを行うサーボ制御回路５３と、光情報処理装置の全体の制御を行うシステムコントローラ５６とを備えている。
【００４６】
図１３に示すスピンドルモータ５８は、サーボ制御回路５３により駆動制御され、所定の回転数で回転駆動される。すなわち、記録，再生の対象となる光記録媒体１０７は、スピンドルモータ５８の駆動軸上にチャッキングされ、サーボ制御回路５３により駆動制御される。このスピンドルモータ５８によって、光記録媒体１０７は所定の回転数で回転操作される。
【００４７】
光ピックアップ５１は、光記録媒体１０７に対する情報信号の記録および再生を行うとき、前述したように、回転駆動される光記録媒体１０７に対してレーザ光を照射し、その戻り光束を検出する。この光ピックアップ５１は、変復調回路５４に接続されている。そして、情報信号の記録を行う際には、外部回路５５から入力され変復調回路５４によって所定の変調処理が施された信号が光ピックアップ５１に供給される。光ピックアップ５１は、変復調回路５４から供給される信号に基づいて、光記録媒体１０７に対して、光強度変調が施されたレーザ光を照射する。また、情報信号の再生を行う際には、光ピックアップ５１は、回転駆動される光記録媒体１０７に対して、一定の出力のレーザ光を照射し、その戻り光から再生信号が生成され、この再生信号が変復調回路５４に供給される。
【００４８】
また、この光ピックアップ５１は、サーボ制御回路５３にも接続されている。そして、情報信号の記録，再生時に、回転駆動される光記録媒体１０７によって反射されて戻ってきた戻り光束から、前述したように、フォーカスサーボ信号およびトラッキングサーボ信号が生成され、それらのサーボ信号がサーボ制御回路５３に供給される。
【００４９】
変復調回路５４は、システムコントローラ５６および外部回路５５に接続されている。この変復調回路５４は、情報信号を光記録媒体１０７に記録するときには、システムコントローラ５６による制御のもとで、光記録媒体１０７に記録する信号を外部回路５５から受け取り、この信号に対して所定の変調処理を施す。変復調回路５４によって変調された信号は、光ピックアップ５１に供給される。
【００５０】
また、この変復調回路５４は、情報信号を光記録媒体１０７から再生するときには、システムコントローラ５６による制御のもとで、光記録媒体１０７から再生された再生信号を光ピックアップ５１から受け取り、この再生信号に対して所定の復調処理を施す。そして、変復調回路５４によって復調された信号は、変復調回路５４から外部回路５５へ出力される。
【００５１】
送りモータ５２は、情報信号の記録および再生を行うとき、光ピックアップ５１を光記録媒体１０７の径方向で所定の位置に移動させるためのものであり、サーボ制御回路５３からの制御信号に基づいて駆動される。すなわち、この送りモータ５２は、サーボ制御回路５３に接続されており、サーボ制御回路５３により制御される。
【００５２】
サーボ制御回路５３は、システムコントローラ５６による制御のもとで、光ピックアップ５１が光記録媒体１０７に対向する所定の位置に移動されるように、送りモータ５２を制御する。また、サーボ制御回路５３は、スピンドルモータ５８にも接続しており、システムコントローラ５６による制御のもとで、スピンドルモータ５８の動作を制御する。すなわち、サーボ制御回路５３は、光記録媒体１０７に対する情報信号の記録および再生時に、この光記録媒体１０７が所定の回転数で回転駆動されるように、スピンドルモータ５８を制御する。
【００５３】
さらに、サーボ制御回路５３は、光ピックアップ５１にも接続されており、情報信号の記録および再生時には、光ピックアップ５１から再生信号およびサーボ信号を受け取り、このサーボ信号に基づいて、光ピックアップ５１に搭載された２軸アクチュエータ（図示せず）によるフォーカスサーボおよびトラッキングサーボの制御を行い、さらに、液体レンズ部１１の小滴１３（図７参照）の駆動にも使用される。
【産業上の利用可能性】
【００５４】
本発明に係る光ピックアップおよび光情報処理装置は、メカニカルな調整機構を伴わずに、安定した信号検出が可能な光検出器を備えた光ピックアップと、この光ピックアップの組付方法を提供でき、これにより光ピックアップおよび光情報処理装置の小型化，薄型化ができ、さらに組付設備の簡素化を図ることができ、光ピックアップおよび光情報処理装置に搭載する光検出器として有用である。
【図面の簡単な説明】
【００５５】
【図１】本発明の実施の形態１における光検出器の概略構成を示す（ａ）は斜視図、（ｂ）は上面図
【図２】光ピックアップに利用する電気毛管現象を説明する（ａ）は液体レンズ、（ｂ）は小滴の変化を示す図
【図３】本実施の形態１における光検出器の（ａ）は断面図、（ｂ）は電極の分割パターンを示す図
【図４】本実施の形態１における液体レンズの焦点距離の切り替え調整を行う（ａ）は光検出器の断面図、（ｂ）は電極の分割パターンを示す図
【図５】本実施の形態１における液体レンズの集光位置の調整を行う（ａ）は光検出器の断面図、（ｂ）は電極の分割パターンを示す図
【図６】本実施の形態１における光検出器の別の構成例を示す図
【図７】本実施の形態１における光検出器のもう１つ別の構成例を示す図
【図８】本発明の実施の形態２の実施例1における光ピックアップの概略構成を示す図
【図９】本発明の実施の形態２の実施例２における光検出器の別の配置例を示す図
【図１０】本発明の実施の形態３における光ピックアップの概略構成を示す図
【図１１】本実施の形態３における光ピックアップに有する３波長レーザユニットの概略を示す図
【図１２】本実施の形態３における光ピックアップに有する受光素子部の概略を示す図
【図１３】発明の実施の形態４における光情報処理装置の概略構成を示すブロック図
【符号の説明】
【００５６】
１，１３  小滴
２，１６  基板
３  参照光線
４  焦点
６，１４  絶縁層
７，１５ａ，１５ｂ，１５ｃ，１５ｄ，１７  電極
１１  液体レンズ部
１２  キャップ部材
１７ａ  透明電極用引出線
１８  保持部材
１９  絶縁性液体
２０  ガラス基板
３１  樹脂モールド体
３２  載置用リードフレーム
３３  端子導出用リード
３４  凹部
４１，４２  受光素子部
４１ａ，４１ｂ，４１ｃ，４１ｄ  受光素子
４３  赤色受光素子
４４  青色受光素子
４５  赤外受光素子
５１  光ピックアップ
５２  送りモータ
５３  サーボ制御回路
５４  変復調回路
５５  外部回路
５６  システムコントローラ
５８  スピンドルモータ
１０１  半導体レーザ
１０２  コリメートレンズ
１０３  偏光ビームスプリッタ
１０４  １／４波長板
１０６  対物レンズユニット
１０７  光記録媒体
１０７ａ  光記録媒体（ＢＤ）
１０７ｂ  光記録媒体（ＤＶＤ）
１０７ｃ  光記録媒体（ＣＤ）
１０８  検出レンズ
１０９  光束分割素子
１１０，１１２  光検出器
１１１  モニタ用光検出器
１２１  ３波長レーザユニット
１２１ａ  赤色レーザチップ
１２１ｂ  青色レーザチップ
１２１ｃ  赤外レーザチップ
【図１】
2006277877.tif 000003
【図２】
2006277877.tif 000004
【図３】
2006277877.tif 000005
【図４】
2006277877.tif 000006
【図５】
2006277877.tif 000007
【図６】
2006277877.tif 000008
【図７】
2006277877.tif 000009
【図８】
2006277877.tif 000010
【図９】
2006277877.tif 000011
【図１０】
2006277877.tif 000012
【図１１】
2006277877.tif 000013
【図１２】
2006277877.tif 000014
【図１３】
2006277877.tif 000015